(57)【要約】      （修正有）【課題】良く冷えた飲料によって内部の空気が冷やされているような状況において、容器内部に過度の減圧の生じることを防止する。また、ワンタッチ操作で開閉可能な構成を持つ外蓋付きの保温保冷水筒において、常に指先の操作でロックを解除可能とする。【解決手段】飲料を入れる容器部と、その開口を閉じる中蓋と、中蓋に設けられている飲み口を開閉する外蓋を有する保温保冷水筒について、中蓋１２に取り付けて、容器部内部の減圧時に開弁し、容器部内外の差圧を解消する差圧弁２５を具備し、差圧弁は、中蓋に設けた取り付け孔２４に嵌め込む軸部２６と、軸部の内方端に一体に設けた弁板部２７を有し、弁板部によって、中蓋に設けられている通気部２８を覆い、容器部の内外の差圧が一定の範囲に止まっている間は弁板部によって通気部を閉塞し、上記差圧が一定の範囲を超えたときに弾性変形を生じて通気部を開放する弾性手段を有している。【選択図】図５
0003125880.tif 000002
【実用新案登録請求の範囲】
【請求項１】
飲料を入れる容器部と、その開口を閉じる中蓋と、中蓋に設けられている飲み口を開閉する外蓋を有する保温保冷水筒であって、
中蓋に取り付けて、容器部内部の減圧時に開弁し、容器部内外の差圧を解消する差圧弁を具備しており、差圧弁は、中蓋に設けた取り付け孔に嵌め込む軸部と、軸部の内方端に一体に設けた弁板部を有するとともに、弁板部によって、中蓋に設けられている通気部を覆うものであり、容器部の内外の差圧が一定の範囲に止まっている間は弁板部によって通気部を閉塞し、上記差圧が一定の範囲を超えたときに弾性変形を生じて通気部を開放する弾性手段を有している差圧弁付き保温保冷水筒。
【請求項２】
差圧弁は、彎曲した傘状の弁板部と、弁板部のほぼ中央に設けられた茎状の軸部を有するほぼキノコ型の形態を具えており、かつ、軟質の樹脂により形成されていることにより、傘状の弁板部が弾性手段を兼ねている請求項１記載の差圧弁付き保温保冷水筒。
【請求項３】
外蓋は、中蓋に開閉可能に軸支されていて、飲み口を密閉するパッキングを一体に有しており、飲み口を密閉した状態で外蓋をロックし、また、飲用時に指先の操作でロックを解除可能に設けられている請求項１記載の差圧弁付き保温保冷水筒。
【考案の詳細な説明】
【技術分野】
【０００１】
本考案は、飲料を入れる容器部と、その開口を閉じる中蓋と、中蓋に設けられている飲み口を開閉する外蓋を有する保温保冷水筒の差圧弁付きのものに関するものである。
【背景技術】
【０００２】
この種の保温保冷水筒は、従来から飲料容器として公知である、しかし、例えばストロー付き水筒などと相違するのは、密閉性が高いということであり、そのために容器部内外の差圧が問題になる。例えば実用新案登録第３０９７６８０号のように、飲み口を密閉するパッキングを一体に有しており、飲み口を密閉した状態で外蓋をロックし、また、飲用時に指先の操作でロックを解除可能に設けられている、いわばワンタッチ操作で開閉可能な構成を持つタイプのものでは、指先の操作によって飲み口を開閉できることが特徴であるが、使用状況によっては、この特徴の発揮されないことがある。
【０００３】
その原因となるのは、容器部内部の減圧である。すなわち、冷蔵庫で良く冷やした飲料を容器部に入れて、中蓋及び外蓋を閉めておくと、短時間の間に、冷えた飲料により液面上から飲み口内部の空気が冷却され、容器内部が減圧状態になり、外蓋は大気圧によって加圧された状態になる。このため、ロック機構を解除しても外蓋は開くことができず、押し開けてやらなければならない。通常ならば開く外蓋が開かないため、その理由の分からない年少者等は飲用できないか、或いは無理に開けようとして、水筒を壊してしまう恐れがある。
【０００４】
このような問題は、加熱した飲料を容器部に入れ、中蓋及び外蓋を閉めた状態において加熱されていた飲料が冷めた場合にも起こり得るが、この場合には、高温の液体が完全に冷めるまで数時間以上と長い時間を必要とする。このため、数時間以上の間に差圧が解消に向かうか、解消されなくても軽減される可能性があり、余り問題にならない。しかし、冷えた飲料により内部の空気が冷やされている状態では差圧も解消せず、指先の操作で外蓋が開かないというような状態になる。なお、同様の問題は、特開２００５−２９６２３４号のボトル類においても起こり得る。
【０００５】
【特許文献１】実用新案登録第３０９７６８０号
【特許文献２】特開２００５−２９６２３４号
【考案の開示】
【考案が解決しようとする課題】
【０００６】
本考案は上記の点に着目して成されたもので、その課題は、例えば良く冷えた飲料によって内部の空気が冷やされているような状況においても、容器内部に過度の減圧の生じることを防止することである。また、本考案の他の課題は、ワンタッチ操作で開閉可能な構成を持つ外蓋付きの保温保冷水筒においても、常に指先の操作でロックを解除可能とすることである。
【課題を解決するための手段】
【０００７】
前記の課題を解決するため、本考案は、飲料を入れる容器部と、その開口を閉じる中蓋と、中蓋に設けられている飲み口を開閉する外蓋を有する保温保冷水筒について、中蓋に取り付けて、容器部内部の減圧時に開弁し、容器部内外の差圧を解消する差圧弁を具備しており、差圧弁は、中蓋に設けた取り付け孔に嵌め込む軸部と、軸部の内方端に一体に設けた弁板部を有するとともに、弁板部によって、中蓋に設けられている通気部を覆うものであり、容器部の内外の差圧が一定の範囲に止まっている間は弁板部によって通気部を閉塞し、上記差圧が一定の範囲を超えたときに弾性変形を生じて通気部を開放する弾性手段を有するものとするという手段を講じたものである。
【０００８】
本考案が対象とする保温保冷水筒は、飲料を入れることができ、かつ、入れた飲料の保温保冷性能を有する容器部を備えている。保温も保冷も、液温を保つという意味で同じことであり、いわゆる魔法瓶と同様な恒温機能を意味するものである。容器部の開口は、例えばねじ込みによって取り付けられた中蓋によって閉じられており、中蓋には飲み口が設けられている。そして、中蓋に設けられている飲み口を、外蓋により閉じることにより、保温保冷水筒は、密閉状態になる。その結果、保温保冷水筒を横にしても、また逆さにしても飲料が漏れず、長時間保温保冷機能を維持する。
【０００９】
この保温保冷機能に基づく差圧の問題を解決するために、中蓋に取り付けて、容器部内部の減圧時に開弁し、容器部内外の差圧を解消する差圧弁を具備する。本考案において、差圧弁（圧力差弁）とは、弁の両側に圧力差（差圧）のない通常の状態では閉じており、圧力差の生じたときに、その圧力差によって開弁し、圧力差（差圧）を解消する弁のことをいうものとする。圧力差の解消というためには、弁の両側の圧力差が完全にゼロにならなくても良く、例えば外蓋を開けるのに支障のない程度の圧力差が残っていても良いものとする。
【００１０】
差圧弁は、中蓋に設けた取り付け孔に嵌め込む軸部と、軸部の内方端に一体に設けた弁板部を有しており、弁板部によって、中蓋に設けられている通気部を覆うものである。つまり、軸部は、差圧弁を中蓋に取り付けるための手段であり、弁板部は、通気部を開閉するための手段である。通気部は、中蓋に設けた取り付け孔の一部として設けても良く、その例は後述する実施形態で説明されている。しかし、取り付け孔の一部としてではなく、弁板部によって覆われる範囲に、取り付け孔から独立して設けることも可能である。
【００１１】
本考案の差圧弁は、容器部の内外の差圧が一定の範囲に止まっている間は弁板部によって通気部を閉塞し、上記差圧が一定の範囲を超えたときに弾性変形を生じて通気部を開放する弾性手段を有するものとする。この弾性手段は、差圧弁を閉弁位置に付勢しておき、かつまた、差圧が働いたときには通気部を開放する、つまり開弁させるための手段でもある。弾性手段の具体的な例は、後述する実施形態のように、それ自体が弾性変形可能な材料を使用して差圧弁を形成すること、或いは、剛体性の差圧弁に弾性体のばねを組み合わせて形成することのどちらかである。
【００１２】
後述する実施形態の構成を取る場合、差圧弁は、彎曲した傘状の弁板部と、弁板部のほぼ中央に設けられた茎状の軸部を有するほぼキノコ型の形態を具え、かつ、軟質の樹脂により形成されていることにより、傘状の弁板部が弾性手段を兼ねているものとなる。このため構成が簡単になり、製造も容易、かつ、故障の恐れも少ない。
【００１３】
なお、外蓋は、中蓋に開閉可能に軸支されていて、飲み口を密閉するパッキングを一体に有しており、飲み口を密閉した状態で外蓋をロックし、また、飲用時に指先の操作でロックを解除可能に設けられている、という構成を取ることができる。この構成自体は、前記実用新案登録第３０９７６８０号の考案によって公知であるが、本考案における差圧弁を組み合わせることによって、指先操作による簡単な操作性を確実に行えるようになるので、ワンタッチ操作で開閉可能な構成を持つ保温保冷水筒が、真に完成したものとなるということができる。
【考案の効果】
【００１４】
本考案は上記のように構成されかつ作用するものであるから、例えば良く冷えた飲料によって内部の空気が冷やされているような状況においても、容器部内部の空間に圧力差を生じたときに、その圧力差（差圧）によって開弁し、圧力差を解消するものであるので、容器内部に過度の減圧の生じることを防止することができる。また、本考案によれば、容器部内外の圧力差が過大にならないように作用するので、ワンタッチ操作で開閉可能な構成を持つ保温保冷水筒においても、常に指先の操作で外蓋のロックを解除可能とすることができるようになる。
【考案を実施するための最良の形態】
【００１５】
以下図示の実施形態を参照して、本考案をより詳細に説明する。本考案に係る保温保冷水筒１０は、飲料を入れることができる円筒状の外形を有し、かつ、入れた飲料の保温保冷性能を有するものとして、いわゆる魔法瓶と同様な恒温機能を有する容器部１１を備えている。容器部１１の開口には、ねじ込み構造によって中蓋１２が取り付けられ、それによって閉じられており、中蓋１２には、口をつけて飲むために適した太さと長さを有する上方へ突き出した飲み口１３が設けられている。飲み口１３の上部の開口端１４は、外蓋１５の軸支方向へ傾斜させて設けている。図２、図３参照。
【００１６】
中蓋１２に設けられている飲み口１３は、中蓋１２に支軸１６によって軸支され、かつ開方向へ弾性手段１７によって付勢されている外蓋１５により閉じることができる。そして、保温保冷水筒としての密閉状態を得るために、上部の開口端１４に密着する曲面から成るパッキング１８を外蓋１５の内頂部に設けている。これにより、保温保冷水筒１０を横にしても、また逆さにしても飲料が漏れず、長時間保温保冷機能を維持する。
【００１７】
さらに図示の保温保冷水筒１０の場合、外蓋１５を前述のワンタッチ操作で開閉可能とするために、次のような構成を有している。まず、外蓋１５は、前記の支軸１６によって中蓋１２に軸支されているとともに、その開閉端部の内側に設けられている突起１９を有し、この突起１９に係合離脱可能な係合部２１を有し、かつ弾性手段２２により係合方向へ付勢されている操作ボタン２０を中蓋１２の側面に配置した構成を有している。２３はロック部材であり、操作ボタン２０の後部の中蓋１２に左右方向へスライド可能に組み込まれていて、例えば左へスライドさせると操作ボタン２０をロックし、右へスライドさせると操作ボタン２０を操作可能にする。よって、操作ボタン２０を指先で操作すると外蓋１５に対するロックが外れるので外蓋１５が開き、また、開いている外蓋１５を指先で押すことにより閉じることができ、いずれもいわゆるワンタッチで操作することができるものである。
【００１８】
このような保温保冷水筒１０において、本考案では、中蓋１２に取り付けて、容器部内部の減圧時に開弁し、容器部内外の差圧を解消するために、弁の両側に圧力差（差圧）のない通常の状態では閉じており、圧力差の生じたときにその圧力差によって開弁し、圧力差を解消する差圧弁（圧力差弁）２５を具備する。差圧弁２５は、中蓋１２に設けた取り付け孔２４に嵌め込み、差圧弁２５を中蓋１２に取り付けるための手段となる軸部２６と、軸部２６の内方端に一体に設けて、通気開閉の手段となる弁板部２７を有しており、弁板部２７によって、中蓋１２に設けられている通気部２８を覆う。図示の例において、通気部２８は、中蓋１２に設けた取り付け孔２４の一部の溝状として両側縦方向に設けてある。
【００１９】
例示されている差圧弁２５は、彎曲した傘状の弁板部２７と、弁板部２７のほぼ中央に設けられた茎状の軸部２６を有するほぼキノコ型の形態を具え、かつ、ゴムないしはシリコンラバーなどの軟質の樹脂により形成されており、このことにより、傘状の弁板部２７が弾性手段を兼ねる。即ち、容器部１１の内外の差圧が一定の範囲に止まっている間は弁板部２７によって通気部２８を閉塞し、上記差圧が一定の範囲を超えたときに弾性変形を生じて通気部２８を開放することができる。
【００２０】
２９は差圧弁抜け止め部であり、取り付け孔２４の外部に係止する。また、３０は弁板部配置用凹部であり、中蓋１２の内面の側に形成されている。差圧弁抜け止め部２９は、軸部２６から半径方向外方へ膨らんだテーパー部分から成る算盤珠のような外形を有するが、これは、型成形した差圧弁２５をその弾力性を利用して変形させ成形型から取り出すために工夫されているもので、弾力性による変形を容易にするために軸端に凹み３１を設けている。差圧弁２５の原形は図７のようになり、取り付け孔２４に取り付けて変形している状態では図６のようになる。
【００２１】
上記の構成を有する本考案の差圧弁付き保温保冷水筒１０は、中蓋１２を外して、例えば良く冷やした飲料Ｄを容器部１１に注ぎ入れた後、再び中蓋１２をねじ込みによって容器部１１に取り付けて使用する。その際、図３に示すように冷えた飲料Ｄの上面に接する空間Ｓの空気が冷やされて収縮し、空間Ｓの内部圧力が低下することになる。そして差圧弁２５が備わっていない従来の保温保冷水筒では、操作ボタン２０を操作してロック部材２３が係止部２１から外れても、外蓋１５はパッキング１７が開口端１４に密着状態にあり、差圧により開くことができない。
【００２２】
しかし本考案の場合には、内外の差圧が一定の範囲に止まっている間、差圧弁２５は弁板部２７によって通気部２８を閉塞するが（図６）、空間Ｓの内部圧力が低下し、上記差圧が一定の範囲を超えたときには差圧弁２５が機能して、弾性変形を生じるので、通気部２８が開放され、外部の空気が内部に吸引される結果差圧が解消することになる（図７）。従って、操作ボタン２０を操作してロック部材２３が係止部２１から外れれば外蓋１５は直ちに開くので、飲み口１３から飲料を飲むことができる。なお、本考案において圧力差の解消という場合、例えば外蓋１５を開けるのに支障のない程度の圧力差が存在していても良いものとする。
【図面の簡単な説明】
【００２３】
【図１】本考案に係る差圧弁付き保温保冷水筒の外観の一例を示す斜視図。
【図２】図１のものの外蓋を開けた状態を示す部分斜視図。
【図３】図１のものの要部を示す部分断面図。
【図４】本考案における中蓋部分の上面図。
【図５】図４の一部を拡大して示す平面図。
【図６】図５のＶＩ−ＶＩ線断面図。
【図７】図５のＶＩＩ−ＶＩＩ線断面図。
【符号の説明】
【００２４】
１０  差圧弁付き保温保冷水筒
１１  容器部
１２  中蓋
１３  飲み口
１４  開口端
１５  外蓋
１６  支軸
１７、２２  弾性手段
１８  パッキング
１９  突起
２０  操作ボタン
２１  係合部
２３  ロック部材
２４  取り付け孔
２５  差圧弁
２６  軸部
２７  弁板部
２８  通気部
２９  差圧弁抜け止め部
３０  弁板部配置用凹部
３１  凹み
【図１】
0003125880.tif 000003
【図２】
0003125880.tif 000004
【図３】
0003125880.tif 000005
【図４】
0003125880.tif 000006
【図５】
0003125880.tif 000007
【図６】
0003125880.tif 000008
【図７】
0003125880.tif 000009
【手続補正書】
【提出日】平成18年7月26日(2006.7.26)
【手続補正１】
【補正対象書類名】図面
【補正対象項目名】図７
【補正方法】変更
【補正の内容】
【図７】
0003125880.tif 000010